(57)【要約】      （修正有）【課題】良い睡眠の質が得られる健康機能枕を提供する。【解決手段】仰臥部１と、それぞれ仰臥部の両側に設けられる二つの側臥部２とを備え、仰臥部は、二つの側臥部の前端に対して突出する支持ボス１０を有し、支持ボスの外周には第１の緩衝溝１１を有する。また、側臥部の外周には第２の緩衝溝２１を有する。【選択図】図１
0003215924.tif 000002
【実用新案登録請求の範囲】
【請求項１】
仰臥部と、それぞれ前記仰臥部の両側に設けられる二つの側臥部とを備え、前記仰臥部は二つの前記側臥部の前端に対して突出する支持ボスを有する健康機能枕において、前記支持ボスの外周には第１の緩衝溝を有することを特徴とする、健康機能枕。
【請求項２】
各前記側臥部の外周には第２の緩衝溝を有することを特徴とする、請求項１に記載の健康機能枕。
【請求項３】
前記第１の緩衝溝と二つの前記第２の緩衝溝とが互いに接続されることを特徴とする、請求項２に記載の健康機能枕。
【請求項４】
前記支持ボスは上面と、前記上面と対向する下面と、前記上面と前記下面の間に位置する外周表面とを有し、前記第１の緩衝溝は前記外周表面が内に凹んで形成されることを特徴とする、請求項３に記載の健康機能枕。
【請求項５】
各前記側臥部の外周には、前面と、前記前面と対向する裏面と、前記前面と前記裏面の間に位置する側面とを有し、前記第２の緩衝溝は周方向に沿って前記前面から前記側面に延在することを特徴とする、請求項４に記載の健康機能枕。
【請求項６】
前記支持ボスの両側は、それぞれ二つの前記前面と互いに接続される二つの緩勾配構造を有することを特徴とする、請求項１に記載の健康機能枕。
【請求項７】
前記支持ボスの前端には、二つの前記側臥部の前端に接近する方向に向けて傾斜した斜面を有する尖端構造を有することを特徴とする、請求項１に記載の健康機能枕。
【請求項８】
前記仰臥部の内部には、前記仰臥部の長手方向に延在し、末端が前記仰臥部の裏面に設けられる少なくとも一つの第１の通気経路を有し、各前記側臥部の内部には、前記側臥部の長手方向に延在し、末端が前記側臥部の裏面に設けられる少なくとも一つの第２の通気経路を有することを特徴とする、請求項１に記載の健康機能枕。
【請求項９】
少なくとも一つの前記第２の通気経路が延在する長さは、少なくとも一つの前記第１の通気経路が延在する長さよりも大きく、少なくとも一つの前記第２の通気経路の高さは、少なくとも一つの前記第１の通気経路の高さよりも高いことを特徴とする、請求項８に記載の健康機能枕。
【請求項１０】
前記仰臥部の高さは３センチ〜２２センチの間にあり、各前記側臥部の高さは３センチ〜２４センチの間にあり、前記支持ボスの長さは５０センチ〜２００センチの間にあり、前記仰臥部の先端には、深さが１センチ〜３センチの間にある頭部受け溝を有することを特徴とする、請求項１に記載の健康機能枕。
【考案の詳細な説明】
【技術分野】
【０００１】
本考案は、日常生活用品に関し、特に健康機能枕に関する。
【背景技術】
【０００２】
生活レベルの向上に伴い、現在健康及び生活の質が重要視されており、十分で良い睡眠は健康及び生活の質の重要な保証である。一般的な人々の睡眠時間は約一日の三分の一を占め、良質な睡眠で人々は十分な体力で他の三分の二の活動時間に対処でき、かつ人体におけるデトックス・代謝がより効率的になる。
【０００３】
現代文明が日増しに発展している今日、多忙なライフスタイル、又はプレッシャー等の要因により、睡眠状態が悪化する人はますます多くなっているので、低反発枕の使用が盛んになっている。従来の低反発枕は、その主な要求として、枕の形状が人体の頭部、頸部乃至肩の輪郭変化に非常に近いことが強調されているので、不適切な寝姿勢の改善に寄与し睡眠の質が向上できる。しかし、異なるユーザには体形上の相違があり、例えば、異なるユーザの頸部位置の高さも異なっている。現在市販されている通常の低反発枕の構造設計は、体形が異なる各種のユーザの要求を満たすことができないので、不適切な寝姿勢につながり、長期間的には、頸椎及び背中の筋骨格の発育に悪影響をもたらす。
【０００４】
なお、人々が眠る場合、頭部は通常、直接枕の表面に当接するので、常に頭部の熱が効率的に放熱できないため、眠りが長くなるほど熱くなると感じる。特に暑い夏に、暑さで眠れないことが多い。これに加えて、多くの人々は横向きで寝るのが好きであるが、耳に長時間圧力がかかると、気分が悪くなったり、又は蒸し暑くなったりして、長時間的には、さらに耳鳴り、眩暈等の現象が生じる可能性がある。
【考案の概要】
【考案が解決しようとする課題】
【０００５】
本考案が解決しようとする技術問題は、従来技術の不足に対して、ユーザに高質の睡眠を得られる健康機能枕を提供することである。
【課題を解決するための手段】
【０００６】
上記の技術問題を解決するために、本考案で用いられる技術方案は、仰臥部と、それぞれ前記仰臥部の両側に設けられる二つの側臥部とを備え、前記仰臥部は二つの前記側臥部の前端に対して突出する支持ボスを有する健康機能枕において、前記支持ボスの外周には第１の緩衝溝を有することを特徴とする、健康機能枕を提供することである。
【考案の効果】
【０００７】
本考案の技術方案が提供する健康機能枕は、「仰臥部は、二つの側臥部の前端に対して突出する支持ボスを有し、支持ボスの外周には第１の緩衝溝を有する」という技術特徴を介して、異なるユーザの各種の体形に適合し、使用の快適性を向上し、ユーザの睡眠の質を向上させることができる。
【図面の簡単な説明】
【０００８】
【図１】は本考案に係る第１の実施例の健康機能枕の一視角における斜視図である。
【図２】は本考案に係る第１の実施例の健康機能枕の別の視角における斜視図である。
【図３】は本考案に係る第１の実施例の健康機能枕の上面図である。
【図４】は本考案に係る第１の実施例の健康機能枕の側面図である。
【図５】は本考案に係る第２の実施例の健康機能枕の斜視図である。
【考案を実施するための形態】
【０００９】
本考案の特徴及び技術内容がより一層分かるように、以下本考案に関する詳しい説明と添付図面を参照するが、提供される添付図面は、参考と説明を提供するためのものに過ぎず、本考案を制限するためのものではない。
［第１の実施例］
【００１０】
図１乃至図４を参照する。図１及び図２は異なる視角における斜視図であり、図３は上面図であり、図４は側面図である。上記図面に示すように、本考案に係る第１の実施例が提供する健康機能枕Ｚ１は、仰臥部１と、それぞれ仰臥部１の両側に設けられる二つの側臥部２とを備える。仰臥部１と側臥部２は一体成形されており、ユーザは、仰臥する場合頭部を仰臥部１に当接させてもよく、側臥する場合頭部を側臥部２に当接させてもよい。
【００１１】
健康機能枕Ｚ１は緩衝と減圧機能を有する材料、例えばフォーム、メモリーフォーム、ラテックス、シルク、綿織物、プラスチック粒子等で構成されてもよいが、これらに制限されるものではない。実際の応用において、健康機能枕Ｚ１の主体は一つ又は複数のエアバッグ枕芯からなり、エアバッグ枕芯のガス充填が完成すると、健康機能枕Ｚ１は一定の形状を有する。
【００１２】
仰臥部１と側臥部２は、規則的な形状を有してもよく、なかでも、側臥部２の高さは仰臥部１の高さよりも高いか、それに等しくてもよいが、好ましくは仰臥部１の高さよりも高い。これにより、ユーザは横向きで寝る場合、頸部が宙に浮くことを回避し、頭部と頸部が有効的に支えられるように、その肩の幅は枕の高さと同じように保持することができる。本実施例において、仰臥部１の高さは３センチ〜２２センチの間にあり、好ましくは３センチ〜１５センチの間にあるが、これに制限されるものではない。側臥部２の高さは３センチ〜２４センチの間にあり、好ましくは３センチ〜１８センチの間にあるが、これに制限されるものではない。
【００１３】
ユーザは仰臥する場合、その頸部が常に快適な被覆支持と良い減圧効果が得られていることを確保するために、仰臥部１は、二つの側臥部２の前端に対して突出する支持ボス１０を有する。本実施例において、支持ボス１０の長さは、５センチ〜２００センチの間にあり、好ましくは５センチ〜２０センチの間にあるが、これに制限されるものではない。支持ボス１０の幅は３センチ〜７０センチの間にあり、好ましくは２８センチであるが、これに制限されるものではない。支持ボス１０の高さは３センチ〜３０センチの間にあり、好ましくは３センチ〜１８センチの間にあるが、これに制限されるものではない。
【００１４】
支持ボス１０はユーザの頸部を支持するためのものであるが、人体の頸部曲線に適合するいかなる窪み又は傾斜設計を有しない。なお、支持ボス１０の外周には第１の緩衝溝１１を有し、支持ボス１０の前端には尖端構造１２を有する。なかでも、尖端構造１２は二つの側臥部２の前端に接近する方向に向けて傾斜した斜面を有する。ユーザの頸部が支持ボス１０に当接される場合、第１の緩衝溝１１は尖端構造１２と互いに組み合わせて、頸部の押圧に変形緩衝空間を提供でき、減圧の効果を達成させる。ここに、用語「減圧効果」とは、ユーザの頭部又は頸部が押し下げる場合に材料による反発力を低減し、血液循環が影響されることを回避することをいう。
【００１５】
さらに、支持ボス１０は、上面１０１と、上面１０１と対向する下面１０２と、上面１０１と下面１０２の間に位置する外周表面１０３とを有し、第１の緩衝溝１１は外周表面１０３が内に凹んで形成される。本実施例において、上面１０１の一部は二つの側臥部２の前端から離れる方向に延在する平面である。第１の緩衝溝１１の高さは１センチ〜３センチの間にあり、好ましくは１．５センチ〜２センチの間にあるが、これに制限されるものではない。第１の緩衝溝１１の深さは０．５センチ〜３センチの間にあり、好ましくは０．５センチ〜１．５センチの間にあるが、これに制限されるものではない。
【００１６】
また、支持ボス１０の両側は、それぞれ緩勾配構造１３を有し、二つの緩勾配構造１３は、それぞれ二つの側臥部２の前面２０１と互いに接続される。これにより、全体構造の安定性が向上する上に、ユーザは円滑に寝姿勢を変え、頸部疲労を軽減することができる。即ち、ユーザの寝姿勢が仰臥から側臥に切り替えられる場合、頸部の活動が制限されないことを確保でき、これにより、睡眠の快適性が向上する。本実施例において、緩勾配構造１３の高さは支持ボス１０の高さよりもやや低いとともに、外へ漸減する。
【００１７】
好ましくは、各側臥部２の外周には、第１の緩衝溝１１と互いに接続され、ユーザの頭部の押圧に変形緩衝空間を提供できる第２の緩衝溝２１を有する。さらに、側臥部２は、前面２０１と、前面２０１と対向する裏面２０２と、前面２０１と裏面２０２の間に位置する側面２０３とを有しする。第２の緩衝溝２１は周方向に沿って前面２０１から側面２０３に延在し、裏面２０２に近接する。本実施例において、第２の緩衝溝２１の高さは１センチ〜３センチの間にあり、好ましくは１．５センチ〜２センチの間にあるが、これに制限されるものではない。第２の緩衝溝２１の深さは０．５センチ〜３センチの間にあり、好ましくは０．５センチ〜１．５センチの間にあるが、これに制限されるものではない。
【００１８】
なお、図１に示す健康機能枕Ｚ１において、第１の緩衝溝１１と第２の緩衝溝２１とが互いに接続されるが、本実施例の他の実施の態様では、第１の緩衝溝１１は第２の緩衝溝２１と互いに接続されなくてもよい。よって、図１に示す第１の緩衝溝１１と第２の緩衝溝２１の相対的関係は例を挙げて説明するためのものであり、本考案を制限しない。
【００１９】
枕の快適性をより一層向上するために、仰臥部１の先端には頭部受け溝１４を有する。これにより、ユーザは仰臥する場合、その頭部は常に頭部受け溝１４にあることが可能であることで、頸部が真直状を保ち、寝違える現象の発生を回避する。本実施例において、頭部受け溝１４は、人体の頭部の接触部位に大体合致する形状を有する。頭部受け溝１４の深さは１センチ〜３センチの間にあるが、これに制限されるものではない。
【００２０】
なお、仰臥部１の内部には、少なくとも一つの第１の通気経路１５を有する。第１の通気経路１５は仰臥部１の長手方向に延在し、末端が仰臥部１の裏面１０４に設けられる。同様に、各側臥部２の内部には、少なくとも一つの第２の通気経路２２を有する。第２の通気経路２２は側臥部２の長手方向に延在し、末端が側臥部２の裏面２０２に設けられる。これにより、ユーザは仰臥又は側臥する場合、頭部の熱は適時に第１の通気経路１５又は第２の通気経路２２から放熱され得る。
【００２１】
本実施例において、第１の通気経路２１と第２の通気経路２２の形状及び寸法は特に限制されない。好ましくは、第２の通気経路２２が延在する長さは、第１の通気経路１５が延在する長さよりも大きく、第２の通気経路２２が延在する高さは、第１の通気経路１５の高さよりも高い。図３に示す健康機能枕Ｚ１において、第１の通気経路２１と第２の通気経路２２の数はそれぞれ三つであるが、本実施例の他の実施の態様では、第１の通気経路２１と第２の通気経路２２の数は三つ以上であってもよく、一つ又は二つのみであってもよい。よって、図３に示す第１の通気経路２１と第２の通気経路２２の数は例を挙げて説明するためのものに過ぎず、本考案を制限しない。
［第２の実施例］
【００２２】
図５を参照する。本実施例と第１の実施例の主な差異は、本実施例が提供する健康機能枕Ｚ１はマルチピース構造であることである。なかでも、仰臥部１と側臥部２は、互いにマッチする接続構造（図示せず）をそれぞれ有する。例えば、仰臥部１には一つ又は複数の係合ブロックを有し、側臥部２には対応して一つ又は複数の係合溝を有し、仰臥部１と側臥部２はこれらの接続構造を介して一体に組み付けられることが可能である。これにより、ユーザは個人の体形又は好み等に応じて、異なる寸法形態の仰臥部１又は側臥部２を選択できるため、健康機能枕Ｚ１は良い適用性、快適性と支持性を提供できる。
［実施例の効果］
【００２３】
まず、本考案実施例が提供する健康機能枕は、「仰臥部は、二つの側臥部の前端に対して突出する支持ボスを有し、支持ボスの外周には第１の緩衝溝を有する」という技術特徴を介して、異なるユーザの各種の体形に適合し、使用の快適性を向上し、ユーザの睡眠の質を向上させることができる。
【００２４】
上述したように、支持ボスの前端には尖端構造を有し、ユーザの頸部が支持ボスに当接される場合、第１の緩衝溝は尖端構造と互いに係合し、頸部の押圧に変形緩衝空間を提供できるため、ユーザの頸部は常に快適な被覆支持と良い減圧効果が得られている。また、各側臥部の外周には第２の緩衝溝を有し、第１の緩衝溝と互いに接続され、ユーザの頭部の押圧に変形緩衝空間を提供でき、減圧の効果を達成させる。
【００２５】
なお、仰臥部の内部には、少なくとも一つの第１の通気経路を有し、側臥部の内部には、少なくとも一つの第２の通気経路を有することにより、ユーザは仰臥又は側臥する場合、頭部の熱は適時に第１の通気経路又は第２の通気経路から放熱され得る。
【００２６】
以上に開示される内容は本考案の好ましい実施可能な実施例に過ぎず、これにより本考案の特許請求の範囲を制限するものではないので、本考案の明細書及び添付図面の内容に基づき為された同等の技術変形は、何れも本考案の特許請求の範囲に含まれる。
【符号の説明】
【００２７】
Ｚ１、Ｚ２    健康機能枕
１    仰臥部
１０    支持ボス
１１    第１の緩衝溝
１２    尖端構造
１３    緩勾配構造
１４    頭部受け溝
１５    第１の通気経路
１０１    上面
１０２    下面
１０３    外周表面
１０４    裏面
２    側臥部
２１    第２の緩衝溝
２２    第２の通気経路
２０１    前面
２０２    裏面
２０３    側面
【図１】
0003215924.tif 000003
【図２】
0003215924.tif 000004
【図３】
0003215924.tif 000005
【図４】
0003215924.tif 000006
【図５】
0003215924.tif 000007
【手続補正書】
【提出日】平成30年2月23日(2018.2.23)
【手続補正１】
【補正対象書類名】実用新案登録請求の範囲
【補正対象項目名】請求項６
【補正方法】変更
【補正の内容】
【請求項６】
前記支持ボスの両側は、前記側臥部の外周の二つの前面とそれぞれ互いに接続される二つの緩勾配構造を有することを特徴とする、請求項１に記載の健康機能枕。